(57)【要約】      （修正有）【課題】飲食中においてもウイルス感染の有無が不明な他人の飛沫が鼻の開口部から入る可能性を著しく減ずることが出来るので、他人の飛沫によるウイルス等の鼻の粘膜からの感染リスクを、マスクを外して飲食している場合に比して著しく減ずることができる紙製マスクを提供する。【解決手段】立体型マスク１は、紙製のマスク本体２と、マスク本体２の左右に配設された耳掛け部３とによって構成されている。立体型マスク１を装着したマスク使用者Ａの上唇Ｕと下唇Ｄとは、開口部１０を通してマスク本体２の外部に露出している。マスク本体２はマスク使用者Ａの鼻の先端部と顎の先端部に係止されていて、マスク使用者Ａの口の動きに追従して開口部１０の形状も変形する。【選択図】図２
0003230723.tif 000002
【実用新案登録請求の範囲】
【請求項１】
マスク使用者の鼻の先端部を覆って口を覆い顎の先端部を経て下顎部に到る部分を覆う形状に成型された立体型マスクの紙製のマスク本体と、該マスク本体の左右両側のそれぞれに配設された２つの耳掛け部とによって構成される紙製マスクにおいて、
前記マスク使用者の顔面の中心線上の顎の先端部から下唇の上端部に到る距離と略同じ距離で、前記マスク本体の中心線上で前記マスク使用者の前記顎の先端部に当接する部分の位置から上方に位置する部分を中央位置とし、該中央位置を通る前記マスク本体の前記中心線を対称軸とする左右対称の形状の開口部であって、前記マスク使用者が口を閉じた状態の上唇および下唇の輪郭の形状と略同じ形状の、当該上唇および下唇を前記マスク本体の外側に露出させる開口部が前記マスク本体に形成されていることを特徴とする紙製マスク。
【請求項２】
前記マスク使用者の前記顎の先端部から前記マスク使用者の前記下唇の上端部に到る距離は、前記マスク使用者と想定される成人の顎の先端部から下唇の上端部に到る距離の平均値または最頻値であることを特徴とする請求項１に記載の紙製マスク。
【請求項３】
前記マスク使用者の前記顎の先端部から前記マスク使用者の前記下唇の上端部に到る距離は、前記マスク使用者と想定される子供の顎の先端部から下唇の上端部に到る距離の平均値または最頻値であることを特徴とする請求項１に記載の紙製マスク。
【請求項４】
前記マスク使用者の鼻の部分に当接する前記マスク本体の上縁部付近には、成型用ワイヤーが配設されていることを特徴とする請求項１ないし請求３のいずれかの項に記載の紙製マスク。
【請求項５】
前記耳掛け部は、伸縮自在な紐部材によって構成されていることを特徴とする請求項１ないし請求３のいずれかの項に記載の紙製マスク。
【請求項６】
前記耳掛け部は、前記マスク本体と同じ材料によって当該マスク本体に連設されている紙製の耳掛け部であることを特徴とする請求項１ないし請求３のいずれかの項に記載の紙製マスク。
【考案の詳細な説明】
【技術分野】
【０００１】
本考案は、ウイルス等の飛沫感染を防止する紙製マスクに関し、殊に飲食店等での使用を主な目的とする紙製マスクに関するものである。
【背景技術】
【０００２】
現在、新型コロナウイルス等の飛沫感染を防ぐために、マスクを装着することが各方面から推奨されている。
【０００３】
ここで、飲料や食物を摂取する場合にはそれらの物を口から摂取するために、飲食に際しては、普段装着しているマスクを外して飲食しているのが通常である。
【０００４】
このように飲食時においては、マスクを外さなければならないので、新型コロナウイルス等の飛沫感染のリスクはマスクを装着している状態に比して高まってしまう。
【０００５】
従って、感染患者が増加している状態においては、多くの人々は飲食店等での外食を避けて、テイクアウトの食物や家庭で調理した食物を食べる傾向が生じている。
【考案の概要】
【考案が解決しようとする課題】
【０００６】
しかしながら、外食であれ家庭内であれマスクを外して他人と共に食事をする場合には、通常のマスクを装着している場合に比して感染リスクが高まってしまうことに変りはない。
【０００７】
殊に、他人の飛沫が飛んでくる場所においてマスクを外している場合には、口を閉じていれば口腔内の粘膜からのウイルスの感染は防ぐことが出来ても、周囲の空気に常に無防備に曝されている鼻の粘膜からのウイルスの感染は防ぐことは出来なかった。
【０００８】
本考案の目的は、飲食店等でウイルス感染の有無が不明な他人と共に食事をする場合においても、ウイルス等の飛沫感染のリスクを減ずることが出来る使い捨て用の紙製マスクを提供することにある。
【課題を解決するための手段】
【０００９】
以上述べた問題を解消するために、本考案は、マスク使用者の鼻の先端部を覆って口を覆い顎の先端部を経て下顎部に到る部分を覆う形状に成型された立体型マスクの紙製のマスク本体と、該マスク本体の左右両側のそれぞれに配設された２つの耳掛け部とによって構成される紙製マスクにおいて、前記マスク使用者の顔面の中心線上の顎の先端部から下唇の上端部に到る距離と略同じ距離で、前記マスク本体の中心線上で前記マスク使用者の前記顎の先端部に当接する部分の位置から上方に位置する部分を中央位置とし、該中央位置を通る前記マスク本体の前記中心線を対称軸とする左右対称の形状の開口部であって、前記マスク使用者が口を閉じた状態の上唇および下唇の輪郭の形状と略同じ形状の、当該上唇および下唇を前記マスク本体の外側に露出させる開口部が前記マスク本体に形成されていることを特徴とするものである。ここで、前記マスク使用者の前記顎の先端部から前記マスク使用者の前記下唇の上端部に到る距離は、前記マスク使用者と想定される成人の顎の先端部から下唇の上端部に到る距離の平均値または最頻値であってもよいし、前記マスク使用者の前記顎の先端部から前記マスク使用者の前記下唇の上端部に到る距離は、前記マスク使用者と想定される子供の顎の先端部から下唇の上端部に到る距離の平均値または最頻値であってもよい。
【００１０】
さらに、以上の構成において、前記マスク使用者の鼻の部分に当接する前記マスク本体の上縁部付近には、成型用ワイヤーが配設されていてもよいし、また、前記耳掛け部は、伸縮自在な紐部材によって構成されていてもよいし、前記耳掛け部は、前記マスク本体と同じ材料によって当該マスク本体に連設されている紙製の耳掛け部であってもよい。
【考案の効果】
【００１１】
本考案によれば、飲食中においてもウイルス感染の有無が不明な他人の飛沫が鼻の開口部から入る可能性を著しく減ずることが出来るので、他人の飛沫によるウイルス等の鼻の粘膜からの感染リスクを、マスクを外して飲食している場合に比して著しく減ずることができる。
【図面の簡単な説明】
【００１２】
【図１】本考案の実施例１の構成を示す斜視図である。
【図２】本考案の実施例１に係る開口部の構成の説明図である。
【図３】本考案の実施例１に係る開口部の構成の説明図である。
【図４】本考案の実施例１に係る開口部の動作の説明図である。
【図５】本考案の実施例１に係る開口部の動作の説明図である。
【図６】本考案の実施例１の構成の説明図である。
【考案を実施するための形態】
【００１３】
以下、図面を用いて本考案の実施例について説明する。
【実施例１】
【００１４】
図１は、本考案の実施例１に係る紙製の立体型マスク１の構成を示した斜視図である。
【００１５】
図１において、２は、立体型マスク１を構成する紙製のマスク本体であり、また３は、伸縮自在な紐部材によって構成された耳掛け部である。この耳掛け部３は、マスク本体２の左右両側にそれぞれ配設されている。以上の構成は、従来から市販されている紙製の立体型マスク１と同様の構成となっている。即ち、マスク本体２は、使用者が立体型マスク１を装着した際、図２（ａ）に示したように、マスク使用者Ａの鼻の先端部を覆って口を覆い顎の先端部を経て下顎部に到る部分を覆う形状に成型されている。なお、マスク本体２を構成しているここで言う「紙」とは、「紙製マスク」と一般に呼称されている意味での「紙」であり、抄造された紙を含むことは勿論、不織布等をも含む広い概念の「紙」である。
【００１６】
本実施例１が従来例と異なるところは、紙製のマスク本体２に、開口部１０が形成されていることである。
【００１７】
以下、図面を用いてこの開口部１０について説明する。
【００１８】
この開口部１０は、図２（ａ）に示したように、マスク使用者Ａが本実施例１に係る立体型マスク１を装着した際に、マスク使用者Ａの口の部分のみが開口部１０を通してマスク本体２の外側に露出するように形成されている。
【００１９】
この開口部１０の形状は、図２（ａ）に示したように、マスク使用者Ａが口を閉じた状態での上唇Ｕおよび下唇Ｄの輪郭の形状と略同じ形状となるように形成してある。
【００２０】
また、この開口部１０の形成されている位置は、図２（ｂ）に示したように、マスク使用者Ａの顎に先端部から下唇Ｄの上端部に到る距離ＬＡと略同じ距離となるように、マスク使用者Ａの顎の先端部に当接するマスク本体２の部分と開口部１０の中央位置との距離Ｌが選ばれている。
【００２１】
この開口部１０が形成されている位置をさらに詳しく説明すると、マスク使用者Ａの顎の先端部から下唇Ｄの上端部に到る距離ＬＡは、図３（ａ）に示したように、マスク使用者Ａの顔面の中心線上の顎の先端部から下唇Ｄの上端部に到る距離であり、マスク本体２における距離Ｌは、マスク本体２の中心線上での顎の先端部に当接する部分とその上方に位置している開口部１０の中央位置との距離である。この開口部１０の中央位置を通るマスク本体２の中心線を対称軸として左右対称の形状となるように開口部１０は形成されている。
【００２２】
ここで、本実施例１においては、図３（ａ）に示したように、マスク使用者Ａを成人と想定して、成人の顎の先端部から下唇Ｄの上端部に到る距離の平均値を距離ＬＡとしている。もし、想定されるマスク使用者が子供である場合には、図３（ｂ）に示したように、子供Ｃの顎の先端部から下唇Ｄの上端部に到る距離の平均値を、顎の先端部から下唇Ｄの上端部に到る距離ＬＣとすればよい。なお、上述した「平均値」は統計学上の「最頻値」としてもよい。
【００２３】
以上のように構成された本実施例１に係る紙製の立体型マスク１を装着した場合のマスク使用者Ａの正面から見た状態を図４（ａ）に示し、そのときの断面図を図４（ｂ）に示す。
【００２４】
図４（ａ），（ｂ）に示したようにマスク使用者Ａが口を閉じている状態においては、マスク使用者Ａの上唇Ｕおよび下唇Ｄの部分は、開口部１０を通してマスク本体２の外側に露出されている。このような状態においては、図４（ｂ）に示したように、マスク使用者Ａの鼻の開口部の前方側に鼻の先端部からマスク本体２が垂れ下がった状態になっているために、鼻の前方から飛んでくる会話相手などの他人の飛沫は、この鼻の先端部から垂れ下がったマスク本体２によって遮られることになる。従って、本実施例１を装着した場合には、マスクを外している場合に比して他人の飛沫が鼻の開口部から入る可能性を著しく減ずることができる。
【００２５】
このような状態から、マスク使用者Ａが口を開いて食物を摂取しようとした場合には、図５（ａ），（ｂ）に示したように、マスク本体２の上方側はマスク使用者Ａの鼻の先端部によって係止されていて、マスク本体２の下方側はマスク使用者Ａの顎の先端部によって係止されているので、マスク使用者Ａが口を開くとその口の動きに追従してマスク本体２も上下方向に伸びて開口部１０も変形する。即ち、開口部１０は、マスク使用者Ａの上唇Ｕや下唇Ｄの動きに追従して変形するので、本実施例１を装着した場合でも、飲食に際しては支障を来たすようなことはない。
【００２６】
なお、マスク本体２の上縁部付近に女性用下着等に用いられている「成型用ワイヤー」を配設する構成としておけば、マスク使用者Ａの鼻とマスク本体２の上縁部付近の係止状態をより確実にすることができるので、マスク使用者Ａの口の動きに追従する開口部１０の変形動作をよりスムーズに行なわせることができる。
【００２７】
このように、本実施例１を装着して他人と飲食を共にすれば、飲食に支障を来たすことなく他人の飛沫に起因するウイルス等の感染リスクを著しく減ずることができる。
【００２８】
ここで、図４，図５に示したように、本実施例１を装着した場合には、マスク使用者Ａの鼻の開口部はマスク本体２の開口部１０を通して外気に通じているので、マスク使用者Ａは息苦しくなることなく飲食をすることができる。
【００２９】
以上説明した本実施例１の耳掛け部３は、伸縮自在な紐部材によって構成されているが、この耳掛け部を構成する材料は伸縮自在な紐部材に限られるものではなく、この耳掛け部はどのような材料を用いて構成してもよい。例えば図６に示したように、紙製のマスク本体２に連設されている紙製の耳掛け部４としてもよい。ここで、４ａは、紙製の耳掛け部４に形成された、マスク使用者の耳の挿入口である。
【００３０】
このように本実施例１は、「布」に比べて比較的廉価な「紙」を主材料として製造することができるので、飲食店等において客に供される使い捨て用の立体型マスクとして好適な構成となっている。
【００３１】
なお、本実施例１は、飲食店等の喫煙場所で他人と共に喫煙するような場合に装着しても、喫煙に支障を来たすようなことはなく、他人の飛沫に起因するウイルス等の感染リスクを低下させることができる。
【符号の説明】
【００３２】
１    立体型マスク
２    紙製のマスク本体
３，４    耳掛け部
４ａ    耳の挿入口
１０    開口部
Ａ    マスク使用者（成人）
Ｃ    マスク使用者（子供）
Ｄ    下唇
Ｌ，ＬＡ，ＬＣ    距離
Ｕ    上唇
【図１】
0003230723.tif 000003
【図２】
0003230723.tif 000004
【図３】
0003230723.tif 000005
【図４】
0003230723.tif 000006
【図５】
0003230723.tif 000007
【図６】
0003230723.tif 000008